(57)【要約】【課題】  便器と便座装置との間の通信に無線および有線を用いる便器装置において、無線によって通信を行う場合と有線によって通信を行う場合とで信号処理部への信号の入力を自動的に切り替えることができる便器装置を提供する。【解決手段】  便器１と便座装置２との間の通信を無線又は有線で行う便器装置であって、有線にて通信する際に接続線を接続した時の抵抗の分圧変化によって接続線の接続を判別し、リレーによって自動的に切り替える。【選択図】        図１
2006200151.tif 000002
【特許請求の範囲】
【請求項１】
便器洗浄手段を備えた便器と、上記便器に取付けられる便座装置とで主体が構成され、便座装置に着座・離座検出手段を設け、便座装置に着座・離座検出手段で検出した着座・離座情報を送信する送信手段を設け、便器側に上記送信手段から送信された着座・離座情報の信号を受信する受信手段と、受信した信号を処理する信号処理部と該信号処理部にて処理された信号の着座・離座情報に基づいて便器洗浄手段により便器洗浄を行うように制御するための便器側制御部を設けた便器装置であって、送信手段として無線によって信号を送信する無線送信部と有線によって信号を送信する有線送信部を設けると共に、受信手段として無線による信号を受信する無線受信部と有線による信号を受信する有線受信部を設け、前記有線送信部は、二本の通信線からなる接続線の一端部が挿入される送信側ソケットと、該送信側ソケット内に一方の通信線の一端部が接する第一の送信側接点と他方の通信線の一端部が接する第二の送信側接点を有し、第一の送信側接点と第二の送信側接点とを送信側抵抗を介して接続すると共に、第一の送信側接点と第二の送信側接点との間に前記送信側抵抗と並列になるように信号に応じて略絶縁状態と導通状態とを切り替えて信号を生成する有線信号生成部を設け、前記有線受信部は、二本の通信線からなる接続線の他端部が挿入される受信側ソケットと、該受信側ソケット内に一方の通信線の他端部が接する第一の受信側接点と他方の通信線の他端部が接する第二の受信側接点を有し、第一の受信側接点は受信側抵抗を介して所定電圧を印加すると共に第二の受信側接点は接地し、有線にて通信する際に接続線の一端部を送信側ソケットに挿入すると共に他端部を受信側ソケットに挿入することで第一の送信側接点と第一の受信側接点とを一方の通信線を介して導通し且つ第二の送信側接点と第二の受信側接点とを他方の通信線を介して導通して、受信側抵抗の分圧の変化を信号として信号処理部に入力して処理するものにおいて、受信側抵抗の分圧が前記所定電圧と略同じ時に信号処理部への入力を無線受信部からの信号に切り替えると共に、受信側抵抗の分圧が前記印加した所定電圧よりも低い場合に信号処理部への入力を有線受信部からの信号に切り替える切替部を設けて成ることを特徴とする便器装置。
【発明の詳細な説明】
【技術分野】
【０００１】
本発明は、便器洗浄手段を備えた便器と、前記便器に取付けられる便座装置とで主体が構成される便器装置に関するものである。
【背景技術】
【０００２】
従来から、便器洗浄手段と便座装置とを備えた便器装置が知られている（例えば特許文献１参照）。この従来例にあっては、便器洗浄手段と便座装置とが一つの装置ブロックとして便器に組み込まれており、この一つの装置ブロックに着座・離座検出手段を設けると共に制御部を設け、着座・離座検出手段による着座・離座を検出し、この検出結果に基づいて制御部により局部洗浄手段の制御と便器洗浄手段の制御を行っている。
【０００３】
上記従来例にあっては、便器洗浄手段と便座装置とが一つの装置ブロックとして便器に組み込まれているため、便座装置のみを形状や色や機能の異なる他の便座装置と交換しようとしても不可能で、多様な顧客のニーズに対応できないという問題があり、また、便座装置は汚れやすいので取り外して掃除したりする場合、便座装置部分を取り外して簡単に掃除することができない、といった問題があった。
【０００４】
これらの問題を解決するため、便器洗浄手段を備えた便器に、これとは別体の着座・離座検出手段を備えた便座装置を取付け、便座装置と便器洗浄手段を備えた便器とを配線で接続し、便座装置に設けた着座・離座検出手段により検出したデータに基づき便器に設けた便器洗浄手段を制御することが考えられるが、この場合、便座装置と便器洗浄手段を備えた便器とを配線で接続してあるので、施工時に、便器洗浄手段を備えた便器と便座装置とを配線で接続する作業が必要であり、また、掃除をする際、上記接続するための配線が邪魔になるという問題があり、更に、水を使用する便器装置という性質上、上記接続のための配線を伝って水が制御部に浸入する惧れがあるので、制御部が絶縁構造でなければ有線化できないものであり、配線の接続部分を含めて防水構造が複雑となる、といった問題が生じてしまう。
【０００５】
そこで、便器と便座装置とを配線で接続するのではなく、便器と便座装置との間の通信に例えば赤外線等の無線を用いることが考えられるようになった。しかし、通信に赤外線等の無線を用いると、太陽光等の強い外乱がある場合に無線による通信が正常に行われないため、この場合に外乱の影響を受けない有線による通信を行う必要があるため、便器側と便座装置側との間の通信に無線又は有線を選択的に用いることを可能とすることが好ましいものである。
【０００６】
しかしながら、受信側で受信した信号の処理は、無線の場合でも有線の場合でも同一の信号処理部にて行うため、無線による信号と有線による信号とが混在して信号処理部に入力されると正常な処理が行われなくなる。そこで、無線によって通信を行う場合と有線によって通信を行う場合とで信号処理部への信号の入力を自動的に切り替える必要が生じてくるものである。
【特許文献１】特開平９−１９５３５６号公報
【発明の開示】
【発明が解決しようとする課題】
【０００７】
本発明は上記の点に鑑みてなされたものであり、その目的とするところは、便器と便座装置との間の通信に無線又は有線を選択的に用いる便器装置において、無線によって通信を行う場合と有線によって通信を行う場合とで信号処理部への信号の入力を自動的に切り替えることができる便器装置を提供することを課題とするものである。
【課題を解決するための手段】
【０００８】
上記課題を解決するために請求項１に係る発明にあっては、便器洗浄手段を備えた便器１と、上記便器１に取付けられる便座装置２とで主体が構成され、便座装置２に着座・離座検出手段を設け、便座装置２に着座・離座検出手段で検出した着座・離座情報を送信する送信手段３を設け、便器１側に上記送信手段３から送信された着座・離座情報の信号を受信する受信手段４と、受信した信号を処理する信号処理部５と該信号処理部５にて処理された信号の着座・離座情報に基づいて便器洗浄手段により便器洗浄を行うように制御するための便器側制御部を設けた便器装置であって、送信手段３として無線によって信号を送信する無線送信部３０と有線によって信号を送信する有線送信部３１を設けると共に、受信手段４として無線による信号を受信する無線受信部４０と有線による信号を受信する有線受信部４１を設け、前記有線送信部３１は、二本の通信線７１、７２からなる接続線７の一端部７ａが挿入される送信側ソケット３２と、該送信側ソケット３２内に一方の通信線７１の一端部７１ａが接する第一の送信側接点３３と他方の通信線７２の一端部７２ａが接する第二の送信側接点３４を有し、第一の送信側接点３３と第二の送信側接点３４とを送信側抵抗３５を介して接続すると共に、第一の送信側接点３３と第二の送信側接点３４との間に前記送信側抵抗３５と並列になるように信号に応じて略絶縁状態と導通状態とを切り替えて信号を生成する有線信号生成部３６を設け、前記有線受信部４１は、二本の通信線からなる接続線７の他端部７ｂが挿入される受信側ソケット４２と、該受信側ソケット４２内に一方の通信線７１の他端部７１ｂが接する第一の受信側接点４３と他方の通信線７２の他端部７２ｂが接する第二の受信側接点４４を有し、第一の受信側接点４３は受信側抵抗４５を介して所定電圧を印加すると共に第二の受信側接点４４は接地し、有線にて通信する際に接続線７の一端部７ａを送信側ソケット３２に挿入すると共に他端部を受信側ソケット４２に挿入することで第一の送信側接点３３と第一の受信側接点４３とを一方の通信線７１を介して導通し且つ第二の送信側接点３４と第二の受信側接点４４とを他方の通信線７２を介して導通して、受信側抵抗４５の分圧の変化を信号として信号処理部５に入力して処理するものにおいて、受信側抵抗４５の分圧が前記所定電圧と略同じ時に信号処理部５への入力を無線受信部４０からの信号に切り替えると共に、受信側抵抗４５の分圧が前記印加した所定電圧よりも低い場合に信号処理部５への入力を有線受信部４１からの信号に切り替える切替部８を設けて成ることを特徴とするものである。
【０００９】
このような構成とすることで、無線によって通信を行う場合と有線によって通信を行う場合とで信号処理部５への信号の入力を自動的に切り替えることが可能となる。
【発明の効果】
【００１０】
本発明にあっては、無線によって通信を行う場合と有線によって通信を行う場合とで信号処理部への信号の入力を自動的に切り替えることが可能となって、無線受信部からの信号と有線受信部からの信号のいずれか一方のみからとなるようにして混信するのを防止することが可能となる。
【発明を実施するための最良の形態】
【００１１】
以下、本発明の実施の形態について図１、図２に基づいて説明する。本発明の便器装置は、図２に示すように、便器洗浄手段を備えた便器１と、便器１の便器本体１１のリム上に載置されて使用者が着座する便座装置２とで主体が構成される。
【００１２】
便器１は、便器本体１１にそのボウル部を水で洗浄するための便器洗浄手段を内装したもので、本実施形態では特に図示しないが便器洗浄手段としてターントラップを便器本体１１の後部に内装しており、便器本体１１の後部上面には便器制御部ケース１２が設けてある。便器制御部ケース１２内にはターントラップを駆動するための便器側制御部（図示せず）が収納されると共に、後述する信号を受信するための受信手段４および受信した信号を処理する信号処理部５が設けてある。
【００１３】
便座装置２は、人体が着座される便座２１と、特に図示しないが使用者の局部を洗浄するための局部洗浄手段、局部を洗浄した後に送風して使用者の局部を乾燥させるための乾燥手段、便器本体１１内の脱臭を行うための脱臭手段等の便座側機能部と、前記便座側機能部を制御するための所謂マイコンからなる便座側制御部６、使用者が便座側制御部６に指令を入力するための操作部２２、信号を便器１側へ送信するための送信手段３、便座２１への着座・離座を検出するための着座・離座検出手段が設けてある。
【００１４】
便器装置の制御動作の一例を説明する。まず、使用者が便座装置２の便座２１に着座すると、着座・離座検出手段により着座が検出され、着座後離座すると離座が検出される。着座・離座検出手段により着座、離座が検出されると、便座側制御部６に着座信号や離座信号が入力され、この着座信号や離座信号により便座側制御部６により複数の便座側機能部のうち一つ又は複数が制御される。例えば、着座信号が入力されると便座側機能部の一つである脱臭手段がオンとなって脱臭を開始し、その後、離座信号が入力されると、離座信号の入力後一定時間経過後に脱臭手段がオフとなるように制御される。また、着座信号が入力されると使用者の局部を洗浄するための局部洗浄手段の動作受け付け可能モードとなり、その後、離座信号が入力されると局部洗浄手段の動作受け付け可能モードが終了するように制御されるものであり、便座制御部ケースに設けた操作部２２より指令を入力すると、便座側制御部６により上記動作受け付け可能モードの間だけ（つまり着座している期間だけ）局部洗浄手段を動作させるように制御し、上記動作受け付け可能モードでない時（つまり着座していない時）は局部洗浄手段を動作させないようになっている。これにより着座していない時に誤って局部洗浄手段が動作して温水のような洗浄水を噴出することがないようにしている。
【００１５】
また、使用者が着座後離座して着座・離座検出手段により着座、離座が検出されると、便座側制御部６の送信手段３から着座、離座の情報を有する信号が送信されて便器１の受信手段４にて受信され、便器洗浄手段が作動して便器洗浄が自動で行われる。なお、便座装置２の操作部２２より使用者が便器洗浄指令を自分で入力することでも、便座側制御部６の送信部３から同様に信号が送信されて便器１の受信手段４にて受信され、便器洗浄手段が作動して便器洗浄が行われる。このように、便器１側と便座装置２側との間で通信を行うのであるが、通信としては無線又は有線にて選択的に行うことができるものであり、以下に説明する。
【００１６】
便座装置２には送信手段３として、信号を無線にて送信する無線送信部３０と、有線にて送信する有線送信部３１とが設けてあり、便器１には受信手段４として、前記無線送信部３０から送信される信号を受信する無線受信部４０と、前記有線送信部３１から送信される信号を受信する有線受信部４１が設けてある。
【００１７】
無線にて通信する場合について説明する。本実施形態では、無線信号は例えばキャリア周波数が３８ｋＨｚの赤外線からなるキャリアを用い、ＯＮの場合にパルスを生成するとともにＯＦＦの場合にはパルスを生成しないようにしてパルス列からなる信号を送受信し、このパルス列のパルス幅又はパルス間隔の長・短を１ビットの情報に対応させ、前記パルス列によって所定の情報をのせている。
【００１８】
この無線信号は、便座装置２の便座側制御部６で生成された電気信号が発光素子からなる無線送信部３０に入力されて無線送信部３０から赤外線からなる無線信号となって送信される。便器１側には、受光素子からなる無線受信部４０が設けてあり、無線受信部４０で受信しが無線信号は電気信号となって後述するリレーよりなる切替部８を介して信号処理部５へと入力される。
【００１９】
信号処理部５は、図示しないが無線受信部４０からの電気信号を増幅する増幅器と、増幅器からの電気信号よりキャリア周波数成分を抽出するフィルターと、前記フィルターからの出力信号を波形整形する波形整形部と、波形整形部からの出力信号を積分する積分部と、積分部からの出力信号を閾値と比較して閾値より高い場合にパルスを出力する出力部を備え、上述したように出力部からの出力信号のパルス列のパルス幅又はパルス間隔の長・短を１ビットの情報に対応させて信号を処理するものである。
【００２０】
次に、有線にて通信する場合について説明する。有線の場合も上記無線信号と同様に、便座装置２の便座側制御部６で生成された電気信号が途中で分岐されて有線送信部３１に入力される。便座装置２の有線送信部３１と便器１の有線受信部４１とは二本の通信線からなる接続線７によって接続され、有線送信部３１に入力された信号は接続線７を介して有線受信部４１へと入力される。
【００２１】
有線送信部３１は、接続線７の一端部７ａが挿入される送信側ソケット３２と、この送信側ソケット３２内に前記接続線７の一方の通信線７１の一端部７１ａが接する第一の送信側接点３３と、他方の通信線７２の一端部７２ａが接する第二の送信側接点３４を有している。また、第一の送信側接点３３と第二の送信側接点３４とを送信側抵抗３５を介して接続すると共に、第一の送信側接点３３と第二の送信側接点３４との間に前記送信側抵抗３５と並列になるように信号に応じて略絶縁状態と導通状態とを切り替えて信号を生成する有線信号生成部３６を設けてある。
【００２２】
有線受信部４１は、接続線７の他端部７ｂが挿入される受信側ソケット４２と、この受信側ソケット４２内に前記接続線７の一方の通信線７１の他端部７１ｂが接する第一の受信側接点４３と、他方の通信線７２の他端部７２ｂが接する第二の受信側接点４４を有している。また、第一の受信側接点４３は受信側抵抗４５を介して所定電圧が印加されると共に、第二の受信側接点４４は接地してある。
【００２３】
有線にて通信を行う場合には、まず、有線送信部３１の送信側ソケット３２に接続線７の一端部７ａを挿入すると共に有線受信部４１の受信側ソケット４２に接続線７の他端部７ｂを挿入して、第一の送信側接点３３と第一の受信側接点４３とを一方の通信線７１を介して導通させ、第二の送信側接点３４と第二の受信側接点４４とを他方の通信線７２を介して導通させる。これにより、受信側抵抗４５、第一の受信側接点４３、一方の通信線７１、第一の送信側接点３３、送信側抵抗３５および有線信号生成部３６の出力部３６ａ、第二の送信側接点３４、他方の通信線７２、第二の受信側接点４４、が直列に所定電圧が印加されることとなる。ここで、便座側制御部６からの信号が有線送信部３１の有線信号生成部３６に入力されると、有線信号生成部３６の出力部３６ａ（送信側抵抗３５と並列に配置されている部分）の両端は信号のパルスがＯＮの時に導通状態となるとＯＦＦの時に略絶縁状態となり、絶縁状態の時には受信側抵抗４５の分圧Ｖ'は、所定電圧をＶ１、受信側抵抗４５をＲ１、送信側抵抗３５をＲ２とすると、Ｖ'＝Ｖ１・Ｒ１／（Ｒ１＋Ｒ２）となり、導通状態の時はＶ'＝０となる。そこで、この第一の受信側接点４３の電位Ｖの変化より信号を読み取るもので、具体的には、第一の受信側接点４３の電位を比較器Ｃ１に入力し、例えばＲＥＦ１＝Ｖ１・Ｒ１／２（Ｒ１＋Ｒ２）と比較してハイ・ローの出力を復元信号として出力し、これを信号処理部５へと入力するようにしている。
【００２４】
ところで、有線にて通信を行う場合には上述したように接続線７を送信側ソケット３２と受信側ソケット４２に挿入して接続するのであるが、この時、無線受信部４０からの信号が信号処理部５へ入力されると、信号処理部５にて混信されてしまうため、信号処理部５への入力は無線受信部４０か有線受信部４１かいずれか一方のみからとなるように切り替える必要があり、またこの時、手動で切り替えるようにすると切り替えるのを忘れる惧れがあるため、自動で切り替えるのが望ましい。
【００２５】
そこで、上記のように接続線７を接続した時には第一の受信側接点４３の電位ＶはＶ１・Ｒ１／（Ｒ１＋Ｒ２）〜０の間で変化することとなり、接続線７を接続していない時には第一の受信側接点４３の電位ＶはＶ１となるため、本実施形態ではこれを判別して切り替えるようにしている。言い換えると、受信側抵抗４５の分圧を計測して判別して切り替えるものである。具体的には、第一の受信側接点４３の電位Ｖを上記とは別の比較器Ｃ２に入力し、例えばＲＥＦ２＝Ｖ１・（Ｒ１＋Ｒ２／２）／（Ｒ１＋Ｒ２）と比較し、Ｖ＞ＲＥＦ２の場合に信号処理部５の前に設けたリレーよりなる切替部８にて無線受信部４０側に切り替え、Ｖ＜ＲＥＦ２の場合に切替部８にて有線受信部４１側に切り替えるようにしている。
【００２６】
以上のような構成によれば、無線によって通信を行う場合と有線によって通信を行う場合とで信号処理部５への信号の入力を自動的に切り替えることが可能となって、無線受信部４０からの信号と有線受信部４１からの信号いずれか一方のみからとなるようにして混信するのを防止することが可能となる。またこれにあたり、比較器Ｃ２と切替部８とを設けるだけで、既存の回路等に変更を加えることなく切り替えることができるようになり、また、接続線７の端部をそれぞれ送信側ソケット３２と受信側ソケット４２とに挿入するだけで自動的に切り替えることができて、使用者が切り替えるのを忘れる惧れも無くなるものである。
【図面の簡単な説明】
【００２７】
【図１】本発明の要部の構成図である。
【図２】便器装置を示し、（ａ）は側面図であり、（ｂ）は正面図である。
【符号の説明】
【００２８】
１  便器
２  便座装置
３  送信手段
３０  無線送信部
３１  有線送信部
３２  送信側ソケット
３３  第一の送信側接点
３４  第二の送信側接点
３５  送信側抵抗
３６  有線信号生成部
４  受信手段
４０  無線受信部
４１  有線受信部
４２  受信側ソケット
４３  第一の受信側接点
４４  第二の受信側接点
４５  受信側抵抗
５  信号処理部
７  接続線
７ａ  一端部
７ｂ  他端部
７１  一方の通信線
７１ａ  一端部
７１ｂ  他端部
７２  他方の通信線
７２ａ  一端部
７２ｂ  他端部
８  切替部
【図１】
2006200151.tif 000003
【図２】
2006200151.tif 000004